(57)【要約】【課題】医療または介護現場におけるミスや事故防止およびサービスの品質向上を図ることができる管理システムを提供する。【解決手段】管理システム１は、医療または介護現場でユーザの携帯端末１００および管理装置２００を備え、管理装置２００は、携帯端末１００から医療または介護現場における所定の報告項目に対する報告を受信する受信部２０４と、受信した報告を報告項目ごとに記録するデータベース２０８と、報告項目ごとに現場に通知すべきメッセージを予め登録するメッセージ記憶部２１６と、報告が記録されたことに呼応して、記録された報告項目に対応するメッセージをメッセージ記憶部２１６から取得する監視部２２０と、取得したメッセージを携帯端末１００に送信する送信部２２２と、を備え、携帯端末１００は、管理装置２００に報告を送信し、管理装置２００からメッセージを受信し、受信したメッセージをユーザに提示する。【選択図】図１
2009059040.tif 000002
【特許請求の範囲】
【請求項１】
医療または介護従事者であるユーザのユーザ端末および管理装置を備えた管理システムであって、
前記管理装置は、
前記ユーザ端末から医療または介護現場における所定の報告項目に対する報告を受信する報告受信部と、
前記報告受信部が受信した前記報告を報告項目ごとに記録する記録部と、
前記報告項目ごとに前記医療または介護現場に通知すべきメッセージを予め登録する登録部と、
前記記録部に前記報告が記録されたことに呼応して、記録された前記報告の報告項目に対応するメッセージを前記登録部から取得する取得部と、
前記取得部が取得した前記メッセージを前記ユーザ端末に送信するメッセージ送信部と、を備え、
前記ユーザ端末は、
前記管理装置に、所定の報告項目ごとに報告を送信する報告送信部と、
前記管理装置から送信された前記メッセージを受信するメッセージ受信部と、
前記メッセージ受信部が受信した前記メッセージを前記ユーザに提示する提示部と、を備える管理システム。
【請求項２】
請求項１に記載の管理システムにおいて、
前記管理装置は、前記報告項目ごとに前記医療または介護現場に通知すべき前記メッセージの編集操作を管理者から受け付け、編集して前記登録部に登録する編集部を備える管理システム。
【請求項３】
請求項２に記載の管理システムにおいて、
前記管理装置は、
複数のユーザのユーザ端末の識別情報と各ユーザの属性を関連付けて記憶する属性テーブルと、
前記メッセージの送信宛先となるユーザの前記属性の指定を前記管理者から受け付ける属性受付部と、
前記属性テーブルから前記属性受付部が受け付けた前記属性に対応するユーザの前記ユーザ端末の前記識別情報を取得し、前記メッセージの前記送信宛先として指定する宛先指定部と、を備え、
前記管理装置の前記メッセージ送信部は、前記宛先指定部が指定した前記送信宛先のユーザ端末に前記メッセージを送信する管理システム。
【請求項４】
請求項３に記載の管理システムにおいて、
前記管理装置は、
前記メッセージを送信する送信時刻の設定を前記管理者から受け付ける時刻設定受付部と、
前記送信時刻を前記メッセージと対応付けて記憶する送信時刻テーブルと、
計時部と、
前記計時部の時刻が前記送信時刻になったか否かを監視し、前記送信時刻になったとき、前記メッセージを前記メッセージ送信部に送信させる送信制御部と、を備える管理システム。
【請求項５】
請求項４に記載の管理システムにおいて、
さらに、前記ユーザ端末は、前記編集部、前記属性テーブル、前記属性受付部、前記宛先指定部、および前記時刻設定受付部を備えるとともに、前記編集部で編集された前記メッセージを前記管理装置に送信する送信部を備え、
前記ユーザ端末において、前記編集部、前記属性受付部、および前記時刻設定受付部は、前記ユーザから編集操作、前記属性の指定、および前記送信時刻の設定をそれぞれ受け付け、
前記管理装置の前記編集部は、前記ユーザ端末から送信された前記メッセージを受け付け、前記登録部に登録する管理システム。
【請求項６】
請求項１乃至５いずれかに記載の管理システムにおいて、
前記ユーザ端末の前記提示部は、前記メッセージをポップアップ画面にて表示する表示部を含む管理システム。
【請求項７】
請求項６に記載の管理システムにおいて、
前記ユーザ端末の前記提示部は、前記メッセージを受信したことを音声出力または振動で前記ユーザに報知する報知部を含む管理システム。
【請求項８】
請求項１に記載の管理システムにおいて、
前記ユーザ端末は、
前記医療または介護現場でアラーム監視するスケジュールの入力を前記ユーザから受け付けるスケジュール受付部と、
前記スケジュールを記憶する記憶部と、
前記スケジュールを監視し、アラームを報知するアラーム報知部と、を備える管理システム。
【請求項９】
請求項２に記載の管理システムにおいて、
前記管理装置は、
前記医療または介護現場でアラーム監視するスケジュールの入力を前記管理者から受け付けるスケジュール受付部と、
前記スケジュールの対象ユーザの指定を前記管理者から受け付ける対象受付部と、
前記スケジュールと前記対象ユーザを対応付けて記憶するスケジュール記憶部と、
前記スケジュールを監視し、前記対象ユーザの前記ユーザ端末にアラーム報知メッセージを送信するアラーム送信部と、を備え、
前記ユーザ端末は、
前記管理装置から前記アラーム報知メッセージを受信するアラーム受信部と、
前記アラーム報知メッセージを前記ユーザに提示するアラーム提示部と、を備える管理システム。
【発明の詳細な説明】
【技術分野】
【０００１】
本発明は、管理システムに関し、特に、ユーザ端末からの報告を管理する管理システムに関する。
【背景技術】
【０００２】
近年、高齢化に伴い、病院や介護施設等でケアが必要な患者等のケア対象者の数が増加している。そのため、病院や介護施設でケア対象者のケアを行う看護士や介護士等の負担も増加している。
【０００３】
特許文献１には、医療や介護上の処置・ケアを電子的に記録・表示する処置・ケア実施モニターシステムが開示されている。このシステムは、少なくとも（１）処置やケアの実施内容、（２）実施時間、（３）ケア対象者ＩＤ、（４）実施スタッフＩＤを含む実施記録を入力する実施記録入力手段と、その実施記録入力手段によって入力された情報を記録するデータベースと、そのデータベースを集計し、ケア対象者別に、該当する実施記録一覧を表示するケア対象者別実施記録表示手段と、前記データベースを集計し、スタッフ別に、該当する実施記録一覧を表示するスタッフ別実施記録表示手段とを備えている。また、スタッフ別予定／実施記録表示手段は、スタッフの受け持ちケア対象者についてのみ、予定ないし予定／実施記録を表示させる機能を備えている。これにより、各ケア対象者毎に充分な処置／ケアが提供されているか、各スタッフが充分に任務を全うしているかを簡便にモニターし、問題点を早期発見し、医療や介護の質を向上するとともに、医療事故や訴訟のリスクを軽減し、適切な労務管理を可能とする、とされている。
【特許文献１】特開２００４−２０６１５９号公報
【発明の開示】
【発明が解決しようとする課題】
【０００４】
ところで、医療または介護現場において所定の業務を行ったときに発生したミスや事故は、随時管理者に報告され、蓄積されて対策などが立てられ、現場にフィードバックされる。しかしながら、たとえば、介護業務を行う介護士は、常勤よりもパート勤務の場合が多く、また入れ替わりも激しい。このような状況の中で、ミスや事故を起こさない医療または介護業務の遂行を徹底することが、医療または介護サービスを提供する管理者にとって急務であった。
【０００５】
本発明は上記事情に鑑みてなされたものであり、その目的とするところは、医療または介護現場におけるミスや事故防止および患者または被介護者に提供されるサービスの品質向上を図ることができる管理システムを提供することにある。
【課題を解決するための手段】
【０００６】
本発明によれば、医療または介護従事者であるユーザのユーザ端末および管理装置を備えた管理システムであって、
前記管理装置は、
前記ユーザ端末から医療または介護現場における所定の報告項目に対する報告を受信する報告受信部と、
前記報告受信部が受信した前記報告を報告項目ごとに記録する記録部と、
前記報告項目ごとに前記医療または介護現場に通知すべきメッセージを予め登録する登録部と、
前記記録部に前記報告が記録されたことに呼応して、記録された前記報告の報告項目に対応するメッセージを前記登録部から取得する取得部と、
前記取得部が取得した前記メッセージを前記ユーザ端末に送信するメッセージ送信部と、を備え、
前記ユーザ端末は、
前記管理装置に、所定の報告項目ごとに報告を送信する報告送信部と、
前記管理装置から送信された前記メッセージを受信するメッセージ受信部と、
前記メッセージ受信部が受信した前記メッセージを前記ユーザに提示する提示部と、を備える管理システムが提供される。
【０００７】
所定の報告項目とは、たとえば、介護現場での日常業務報告であれば、排泄、ケアプラン、夜間巡回、入浴、食事、日常特記、利用者状況などの報告を含んでいてもよい。また、医療現場での日常業務報告であれば、看護記録、バイタルチェック、処置簿、定期処方管理、回診記録、受診治療を含んでいてもよい。
【０００８】
この発明によれば、医療または介護従事者であるユーザが現場でユーザ端末から報告を行ったとき、報告項目に対応するメッセージを現場のユーザに返信することができ、たとえば、報告された項目に対応した注意事項などをユーザに通知することができる。たとえば、医療または介護現場などで、医師、看護士、または介護士などの医療または介護従事者により所定の業務がなされたときにリアルタイムにその業務に関する注意事項などを医療または介護従事者に送信して、注意喚起を行うことができるので、医療または介護現場におけるミスや事故防止および患者または被介護者に提供されるサービスの品質向上を図ることができる。
【０００９】
上記管理システムにおいて、前記管理装置は、前記報告項目ごとに前記医療または介護現場に通知すべき前記メッセージの編集操作を前記管理者から受け付け、編集して前記登録部に登録する編集部を備えることができる。
【００１０】
上記管理システムにおいて、前記管理装置は、複数のユーザのユーザ端末の識別情報と各ユーザの属性を関連付けて記憶する属性テーブルと、前記メッセージの送信宛先となるユーザの前記属性の指定を前記管理者から受け付ける属性受付部と、前記属性テーブルから前記属性受付部が受け付けた前記属性に対応するユーザの前記ユーザ端末の前記識別情報を取得し、前記メッセージの前記送信宛先として指定する宛先指定部と、を備えることができ、前記管理装置の前記メッセージ送信部は、前記宛先指定部が指定した前記送信宛先のユーザ端末に前記メッセージを送信することができる。
【００１１】
この構成によれば、医療または介護従事者であるユーザの属性、たとえば、勤務形態（正社員、パートの別や、早番、遅番などのシフト）、担当部屋、担当患者や担当被介護者、担当患者や担当被介護者の区分（診療科、障害等級、担当医、介護度、症状等）、役職や役務、所属グループなどを指定して、メッセージを送信する宛先を設定することができる。
【００１２】
上記管理システムにおいて、前記管理装置は、前記メッセージを送信する送信時刻の設定を前記管理者から受け付ける時刻設定受付部と、前記送信時刻を前記メッセージと対応付けて記憶する送信時刻テーブルと、計時部と、前記計時部の時刻が前記送信時刻になったか否かを監視し、前記送信時刻になったとき、前記メッセージを前記メッセージ送信部に送信させる送信制御部と、を備えることができる。
この構成によれば、予め設定された時刻にメッセージを送信することができる。
【００１３】
上記管理システムにおいて、さらに、前記ユーザ端末は、前記編集部、前記属性テーブル、前記属性受付部、前記宛先指定部、および前記時刻設定受付部を備えるとともに、前記編集部で編集された前記メッセージを前記管理装置に送信する送信部を備えることができ、前記ユーザ端末において、前記編集部、前記属性受付部、および前記時刻設定受付部は、前記ユーザから編集操作、前記属性の指定、および前記送信時刻の設定をそれぞれ受け付け、前記管理装置の前記編集部は、前記ユーザ端末から送信された前記メッセージを受け付け、前記登録部に登録することができる。
【００１４】
この構成によれば、ユーザ端末でもメッセージの編集を行うことができ、現場で他のユーザに通知すべきメッセージが生じた場合にも、迅速に登録して各ユーザ端末に送信することが可能となる。これにより、現場のユーザ間で相互にメッセージの交換を行うことが可能となる。
【００１５】
上記管理システムにおいて、前記ユーザ端末の前記提示部は、前記メッセージをポップアップ画面にて表示する表示部を含むことができる。
この構成によれば、現場のユーザのユーザ端末の表示部にポップアップ画面でメッセージを表示させることができるので、メッセージをタイムリーに視覚的に効果的にユーザに提示し、注目させることができる。
【００１６】
上記管理システムにおいて、前記ユーザ端末の前記提示部は、前記メッセージを受信したことを音声出力または振動で前記ユーザに報知する報知部を含むことができる。
この構成によれば、画面表示のみでなく、予め登録された音声、メロディーまたは警告音や振動で、ユーザにメッセージの受信を報知でき、画面のみのときに比べてユーザに対して注意喚起を効果的に促すことができる。
【００１７】
上記管理システムにおいて、前記ユーザ端末は、前記医療または介護現場でアラーム監視するスケジュールの入力を前記ユーザから受け付けるスケジュール受付部と、前記スケジュールを記憶する記憶部と、前記スケジュールを監視し、アラームを報知するアラーム報知部と、を備えることができる。
【００１８】
スケジュール受付部は、アラーム監視時刻の指定およびユーザに通知するメッセージの入力を受け付けることができる。
この構成によれば、ユーザ自身が入力したスケジュールに従って、アラーム報知することができ、たとえば、スケジュールにメッセージを登録し、備忘録として使用することができる。
【００１９】
上記管理システムにおいて、前記管理装置は、前記医療または介護現場でアラーム監視するスケジュールの入力を前記管理者から受け付けるスケジュール受付部と、前記スケジュールの対象ユーザの指定を前記管理者から受け付ける対象受付部と、前記スケジュールと前記対象ユーザを対応付けて記憶するスケジュール記憶部と、前記スケジュールを監視し、前記対象ユーザの前記ユーザ端末にアラーム報知メッセージを送信するアラーム送信部と、を備えることができ、前記ユーザ端末は、前記管理装置から前記アラーム報知メッセージを受信するアラーム受信部と、前記アラーム報知メッセージを前記ユーザに提示するアラーム提示部と、を備えることができる。
【００２０】
なお、以上の構成要素の任意の組合せ、本発明の表現を方法、装置、システム、記録媒体、コンピュータプログラムなどの間で変換したものもまた、本発明の態様として有効である。
【発明の効果】
【００２１】
本発明によれば、医療または介護現場におけるミスや事故防止および患者または被介護者に提供されるサービスの品質向上を図ることができる管理システムが提供される。
【発明を実施するための最良の形態】
【００２２】
以下、本発明の実施の形態について、図面を用いて説明する。尚、すべての図面において、同様な構成要素には同様の符号を付し、適宜説明を省略する。
【００２３】
図１は、本発明の実施の形態に係る管理システムの構成を示すブロック図である。本実施形態の管理システム１は、医療または介護従事者であるユーザのユーザ端末（携帯端末１００）および管理装置２００を備えた管理システム１であって、管理装置２００は、ユーザ端末（携帯端末１００）から医療または介護現場における所定の報告項目に対する報告を受信する報告受信部（受信部２０４）と、報告受信部（受信部２０４）が受信した報告を報告項目ごとに記録する記録部（記録部２０６、データベース２０８）と、報告項目ごとに医療または介護現場に通知すべきメッセージを予め登録する登録部（登録編集部２１０、メッセージ記憶部２１６）と、記録部（記録部２０６、データベース２０８）に報告が記録されたことに呼応して、記録された報告の報告項目に対応するメッセージを登録部（メッセージ記憶部２１６）から取得する取得部（監視部２２０）と、取得部（監視部２２０）が取得したメッセージをユーザ端末（携帯端末１００）に送信するメッセージ送信部（送信部２２２）と、を備え、ユーザ端末（携帯端末１００）は、管理装置２００に、所定の報告項目ごとに報告を送信する報告送信部（図５の送信部１１０）と、管理装置２００から送信されたメッセージを受信するメッセージ受信部（図５の受信部１２０）と、メッセージ受信部（図５の受信部１２０）が受信したメッセージをユーザに提示する提示部（図５の報知部１２２、表示部１０６、音声出力部１２６、振動部１２８）と、を備える。
【００２４】
管理システム１は、複数の携帯端末１００（図中、１００ａ、１００ｂ、１００ｃと示す）と、携帯端末１００に、たとえば、携帯電話通信網（不図示）を経由してインターネットやＬＡＮ（Local Area Network）などのネットワーク３を介して接続された管理装置２００と、を備える。
【００２５】
携帯端末１００は、医療または介護従事者であるユーザが使用するユーザ端末であり、たとえば、ネットワーク３を介して管理装置２００に接続可能な携帯電話機、ＰＤＡ（Personal Digital Assistants）、またはＰＣ（Personal Computer）やワークステーションなどであってもよい。本実施形態では、携帯電話機を例として説明する。携帯端末１００は、予めメモリ（不図示）に記録されたアプリケーションプログラム、たとえば、ＮＴＴドコモのｉモードのｉアプリ（登録商標）、ａｕのＥＺアプリ（ＢＲＥＷ（登録商標））、ソフトバンクのＳ！アプリ（エスアプリ）（登録商標）などのＪａｖａ（登録商標）アプリケーションプログラムを実行することができる。
【００２６】
あるいは、ユーザ端末がＰＣの場合は、ブラウザ（不図示）を用いて管理装置２００が提供するウェブページにアクセスすることができる。
【００２７】
本実施形態において、携帯端末１００は、医療または介護従事者、たとえば、医師、看護士、または介護士などが携帯して医療または介護業務に携わり、管理装置２００から指示を受けたり、管理装置２００に報告を行ったりする際に使用する。
【００２８】
管理装置２００は、たとえば、ＰＣであってもよいし、ワークステーションなどであってもよい。管理装置２００は、医療または介護業務に携わる病院、施設などを管理する管理者によって操作され、現場の医療または介護従事者が携帯する携帯端末１００への指示を行ったり、携帯端末１００からの報告を受けて管理するのに使用される。なお、以下の各図において、本発明の本質に関わらない部分の構成については省略してある。
【００２９】
また、管理システム１の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００３０】
詳細には、管理装置２００は、インタフェース部（Ｉ／Ｆ）２０２と、受信部２０４と、記録部２０６と、データベース２０８と、登録編集部２１０と、表示部２１２と、入力受付部２１４と、メッセージ記憶部２１６と、監視部２２０と、送信部２２２と、を備える。
【００３１】
インタフェース部２０２は、ネットワーク３を介して携帯端末１００と通信を行う。受信部２０４は、携帯端末１００からの報告をインタフェース部２０２を介して受信する。記録部２０６は、受信部２０４が受信した報告をデータベース２０８に記録する。このとき、記録部２０６は、報告を記録した旨を監視部２２０に通知する。
【００３２】
データベース２０８は、種々のデータベースを模式的に一つのデータベースとして示している。データベース２０８は、たとえば、ヘルパーデータベース、ケア対象者データベース、ケアプランデータベース、ケア記録データベース等を含む。ヘルパーデータベースは、ヘルパーＩＤ、パスワード、ヘルパー名等のヘルパー（介護士）に関する情報を記憶する。ケア対象者データベースは、ケア対象者ＩＤ、ケア対象者の名前、ケア対象者の年齢、性別、当該ケア対象者が属するブロック番号等のケア対象者に関する情報を記憶する。ケアプランデータベースは、ケア対象者ＩＤ、ケア内容、ケアが必要な日時等のケアプランに関する情報を記憶する。ケア記録データベースは、ヘルパーがケア対象者に行ったケア内容やケア対象者の状態や症状等を記録する。
【００３３】
図２は、データベース２０８に含まれるケア記録データベース２３０の構造の一例を示す図である。ケア記録データベース２３０は、対象者名、ケア内容、時間、および状況を含む。
【００３４】
図１に戻り、登録編集部２１０は、所定の報告項目ごとに医療または介護現場に通知すべきメッセージを予め登録および編集し、メッセージ記憶部２１６に格納する。
【００３５】
表示部２１２は、液晶ディスプレイ、ＣＲＴ（Cathode Ray Tube）モニタ、有機ＥＬ（ElectroLuminescence）ディスプレイ、プラズマディスプレイなどであり、各種画面表示を行う。入力受付部２１４は、キーボード、マウス、タブレット、シートキー、タッチパネルなどの操作部を含み、ユーザから操作指示を受け付ける。表示部２１２および入力受付部２１４は、管理装置２００のユーザインタフェース機能を実現する。
【００３６】
表示部２１２は、図３に示す登録編集画面３００を表示する。登録編集画面３００は、登録済みメッセージ一覧３０２（図中、複数の登録済みメッセージ３０２ａ、３０２ｂ、３０２ｃを含む）と、カテゴリ選択欄３０４と、開始日時入力欄３０６と、終了日時入力欄３０８と、送信内容入力欄３１０と、登録ボタン３１２と、削除ボタン３１４と、編集ボタン３１６と、を含む。登録済みメッセージ一覧３０２には、それぞれ登録されたメッセージのカテゴリ、開始日時、終了日時、および送信内容が表示される。
【００３７】
管理者などのユーザが各欄で登録項目を設定し、登録ボタン３１２を操作することで、図１の入力受付部２１４が登録編集画面３００で設定されたカテゴリ、開始日時、終了日時、および送信内容を受け付け、図４に示すメッセージ記憶部２１６に格納する。図４に示すように、メッセージ記憶部２１６は、カテゴリと、開始日時と、終了日時と、送信内容とを含む。
【００３８】
図３に戻り、ユーザが登録済みメッセージ一覧３０２の中から、たとえば、登録済みメッセージ３０２ｂを選択し、編集ボタン３１６を操作することで、図１の入力受付部２１４が操作を受け付け、表示部２１２が、図１のメッセージ記憶部２１６から選択された登録済みメッセージ３０２ｂの設定内容を読み出して登録編集画面３００に表示し、編集可能状態となる。登録編集画面３００で編集されたメッセージの登録項目の内容は、登録ボタン３１２をユーザが操作したことを図１の入力受付部２１４が受け付けたときに、図１のメッセージ記憶部２１６に上書きされ更新される。
【００３９】
また、登録済みメッセージ３０２ｃなどが選択された状態で、ユーザが削除ボタン３１４を操作することで、図１の入力受付部２１４が操作を受け付け、図１の登録編集部２１０は、メッセージ記憶部２１６から選択された登録済みメッセージ３０２ｃのデータを削除することができる。
【００４０】
図１に戻り、監視部２２０は、記録部２０６から、データベース２０８に携帯端末１００からの報告を記録したことの通知を受け取る。あるいは、監視部２２０が、記録部２０６がデータベース２０８に携帯端末１００からの報告を記録したことを監視して検出してもよい（不図示）。監視部２２０は、通知に呼応して、記憶された報告の項目（カテゴリ）に対応するメッセージをメッセージ記憶部２１６を参照して取得し、送信部２２２に受け渡す。このとき、監視部２２０は、報告を受けた携帯端末１００の識別情報を取得する取得部を含み、取得した識別情報をメッセージとともに送信部２２２に受け渡す。なお、携帯端末１００は、予め管理装置２００にログインしている。識別情報は、たとえば、携帯端末１００が管理システム１にログインするためのユーザＩＤなどとすることができる。
【００４１】
送信部２２２は、監視部２２０から受け取ったメッセージをインタフェース部２０２を介して識別情報に基づいて該当する携帯端末１００に送信する。
【００４２】
なお、所定の報告の記録がなされたときにメッセージを送信する携帯端末１００を予め指定し、指定された携帯端末１００にメッセージを送信するようにしてもよい。すなわち、メッセージ記憶部２１６にメッセージを送信する携帯端末１００の識別情報を含むことができる。また、報告を発信した携帯端末１００が所属するグループまたは関連するグループ宛に同報でメッセージを送信するようにしてもよい。この場合、メッセージ記憶部２１６は、予めグループ毎にユーザＩＤを登録し、さらにグループをさらに関連付けて記憶するテーブルを含む。さらに、メッセージ記憶部２１６はメッセージを送信するグループを対応付けて記憶する。
【００４３】
また、他の実施形態において、メッセージはメールで送信することもできる。この場合、メッセージ通知の即時性はなくなるが、管理装置２００にログインしていない携帯端末１００、たとえば、勤務時間外のユーザの携帯端末１００にもメッセージを送信することが可能となる。
【００４４】
図５は、本実施形態の携帯端末１００の構成を示すブロック図である。携帯端末１００は、インタフェース部（Ｉ／Ｆ）１０２と、入力受付部１０４と、表示部１０６と、報告部１０８と、送信部１１０と、受信部１２０と、報知部１２２と、音声出力部１２６と、振動部１２８と、を備える。
【００４５】
インタフェース部１０２は、携帯電話通信網（不図示）に接続し、ネットワーク３を介して管理装置２００（図１）と通信を行う。入力受付部１０４は、操作キー、タッチパッド、タッチスクリーン、ジョグダイヤルなどの操作部を含み、ユーザからの操作指示を受け付ける。表示部１０６は、液晶ディスプレイ、有機ＥＬディスプレイ、あるいは、ＬＥＤ表示器などであり、各種画面表示やＬＥＤの色替えや点灯点滅を行う。入力受付部１０４および表示部１０６は、携帯端末１００のユーザインタフェース機能を実現する。
【００４６】
報告部１０８は、所定の報告項目ごとに報告を作成する。詳細には、図６に示す業務報告入力画面４００を表示部１０６に表示し、ユーザに報告項目の選択を行わせる。業務報告入力画面４００は、複数の項目からなる業務項目選択欄４０２を含む。本実施形態では、介護現場における報告の例を示しており、排泄記録、ケアプラン記録、夜間巡回記録、入浴記録、食事記録、日常特記事項、利用者状況記録などを含む。報告項目を選択した後、報告入力画面（不図示）に移行し、報告の入力をユーザが操作部を用いて行い、入力受付部１０４が受け付ける。
【００４７】
図５に戻り、報告部１０８は、ユーザによって入力された報告の内容に基づいて、管理装置２００（図１）に送信する報告を作成する。送信部１１０は、インタフェース部１０２を介して管理装置２００（図１）に報告部１０８が作成した報告を送信する。
【００４８】
受信部１２０は、インタフェース部１０２を介して管理装置２００（図１）から送信されたメッセージを受信する。報知部１２２は、受信部１２０が受信したメッセージをユーザに報知する。報知部１２２は、表示部１０６に、図７に示すように業務報告画面４１０などが表示されている状態で、ポップアップ画面４１２を表示することでユーザにメッセージを報知する。この例では、入浴記録を管理装置２００（図１）に送信した後、管理装置２００（図１）にて記録が正常に行われたことと、入浴記録が行われたときに報知されるメッセージ「入浴後の誘導で転倒事故が発生しています。十分に気をつけましょう。」が表示部１０６（図５）に表示されている。
【００４９】
図５に戻り、音声出力部１２６は、スピーカを含み、所定の音声またはメロディー、警告音などを報知部１２２の指示に従い出力する。振動部１２８は、所定の振動パターンで報知部１２２の指示に従い振動する。すなわち、報知部１２２は、表示部１０６に図７のポップアップ画面４１２を表示させるとともに、音声出力部１２６から音声出力、または振動部１２８を振動させて、ユーザにメッセージの受信を報知することができる。また、報知部１２２は、表示部１０６のＬＥＤ表示器の色替えや点滅点灯を行い、ユーザにメッセージの受信を報知してもよい。
【００５０】
このように構成された本実施形態の管理システム１の動作について、以下に説明する。図８は、本実施形態の管理システム１の動作の一例を示す図である。以下、図１乃至図８を用いて説明する。
【００５１】
はじめに、管理装置２００において、予めメッセージ登録の受け付けが行われる（Ｓ１１）。図３の登録編集画面３００を図１の表示部２１２に表示し、図３の登録編集画面３００から管理者がメッセージの登録を行う。図１の入力受付部２１４が、管理者が入力した登録内容を受け付け、図１の登録編集部２１０が図４のメッセージ記憶部２１６に記憶する（Ｓ１３）。
【００５２】
一方、携帯端末１００において、予め本実施形態の管理システム１のアプリケーションプログラムが起動される（Ｓ３１）。携帯端末１００は、管理装置２００にログインする（Ｓ３３）。そして、図５の携帯端末１００の表示部１０６に図６の業務報告入力画面４００を表示し、入力受付部１０４がユーザからの報告の入力を受け付ける（Ｓ３５）。図５の報告部１０８が報告を作成し、送信部１１０が管理装置２００に送信する（Ｓ３７）。
【００５３】
そして、管理装置２００では、携帯端末１００から送信された報告を図１の受信部２０４が受信し、図１の記録部２０６が図２のケア記録データベース２３０に記録する（Ｓ１５）。ここでは、入浴記録で、入浴の開始の報告が記録され、図２のケア記録データベース２３０では、入力記録の状態が「実行中」と記録されている。
【００５４】
そして、図１の監視部２２０が記録部２０６において報告が記録されたことを受けて、図１のメッセージ記憶部２１６にアクセスし、該当する報告項目、すなわち、カテゴリに対応するメッセージ（送信内容）が登録されているかを判別する（Ｓ１７）。メッセージがある場合（Ｓ１７のＹＥＳ）、図１の監視部２２０は、メッセージ（送信内容）を取得し、図１の送信部２２２に報告を行った携帯端末１００に対してメッセージを送信させる（Ｓ１９）。一方、カテゴリに対応するメッセージの登録がない場合は（Ｓ１７のＮＯ）、処理を終了する。
【００５５】
携帯端末１００では、管理装置２００から送信されたメッセージを図５の受信部１２０が受信し、図５の報知部１２２が、図５の表示部１０６に図７のポップアップ画面４１２を表示させる（Ｓ３９）。このとき、図５の報知部１２２が、図５の表示部１０６のＬＥＤ表示器の色替えや点滅点灯、図５の音声出力部１２６からの音声出力、または図５の振動部１２８の振動により、ユーザにメッセージの受信を報知する。
【００５６】
このようにして、介護現場の介護士が被介護者を入浴させる際に、現場から管理装置２００に入浴記録を報告し、管理装置２００では入浴記録がなされたことに呼応して、入浴時に注意喚起すべきメッセージを携帯端末１００に対して送信し、携帯端末１００の表示部１０６にポップアップ表示させることで、現場の介護士にリアルタイムに注意を喚起することが可能となる。
【００５７】
以上説明したように、本発明の実施の形態の管理システム１によれば、医療または介護従事者であるユーザが現場でユーザ端末から報告を行ったとき、報告項目に対応するメッセージを現場のユーザに返信することができ、たとえば、報告された項目に対応した注意事項などをユーザに通知することができる。たとえば、医療または介護現場などで、医師、看護士、または介護士などの医療または介護従事者により所定の業務がなされたときにリアルタイムにその業務に関する注意事項などを医療または介護従事者に送信して、注意喚起を行うことができるので、医療または介護現場におけるミスや事故防止および患者または被介護者に提供されるサービスの品質向上を図ることができる。
【００５８】
また、本実施形態の携帯端末１００は、スケジュール登録機能をさらに備える。本機能は、医療または介護従事者であるユーザが自分自身へのアラートをメッセージ付きで登録することができる。たとえば、被介護者への服薬時刻にどの薬をどれだけ飲ませるかなどのメッセージ付きでアラームを出すことができる。
【００５９】
本実施形態において、携帯端末１００は、図５に示すように、登録編集部１３０と、監視テーブル１３２と、監視部１３４と、をさらに備える。本実施形態において、ユーザ端末（携帯端末１００）は、前記医療または介護現場でアラーム監視するスケジュールの入力をユーザから受け付けるスケジュール受付部（入力受付部１０４、登録編集部１３０）と、スケジュールを記憶する記憶部（監視テーブル１３２）と、スケジュールを監視し、アラームを報知するアラーム報知部（監視部１３４、報知部１２２、表示部１０６、音声出力部１２６、振動部１２８）と、を備える。
【００６０】
登録編集部１３０は、図１０に示す備忘録登録画面４３０を表示部１０６に表示して、ユーザに備忘録の登録を促す。備忘録登録画面４３０は、カテゴリ選択欄４３２と、タイトル入力欄４３４と、スケジュール指定欄４３６と、指定日時指定欄４３８と、送信調整指定欄４４０と、送信内容入力欄４４２と、を含む。スケジュール指定欄４３６は、毎日、毎週何曜日、毎月何日などの指定ができる。
【００６１】
図５に戻り、登録編集部１３０は、備忘録登録画面４３０（図１０）でユーザが入力したスケジュールを入力受付部１０４を介して受け付け、監視テーブル１３２に登録する。あるいは、既に監視テーブル１３２に登録されているスケジュールを読み出して表示し、編集や削除も可能とすることもできる。監視テーブル１３２は、図９に示すような構造を有し、備忘録登録画面４３０で登録されたカテゴリ、タイトル、スケジュール、指定日時、送信調整、送信内容などを記憶する。カテゴリは、予め登録された複数の項目の中から選択することができ、たとえば、介護現場であれば、服薬、検温、買い物、補水などを含んでいてもよい。医療現場であれば、たとえば、服薬、処置、受診、回診などを含んでいてもよい。
【００６２】
図５に戻り、監視部１３４は、監視テーブル１３２に登録されているスケジュールの指定時刻および送信調整に基づいて、報知時刻になったか否かを監視し、報知部１２２に通知する。報知部１２２は、監視部１３４からの通知を受けて、ユーザにスケジュールの報知を行う。
【００６３】
図１１は、本実施形態のアラート画面４５２の一例を示す図である。図１１に示すように、報知部１２２は、図５の表示部１０６にアラート画面４５２を表示させて、ユーザにスケジュールを報知する。このとき、報知部１２２は、図５の音声出力部１２６および振動部１２８にそれぞれ音声出力および振動をさせてもよい。また、報知部１２２は、表示部１０６のＬＥＤ表示器の色替えや点滅点灯を行ってもよい。
【００６４】
以上、図面を参照して本発明の実施形態について述べたが、これらは本発明の例示であり、上記以外の様々な構成を採用することもできる。
【００６５】
たとえば、他の実施形態の管理システムにおいて、管理装置２００は、複数のユーザのユーザ端末（携帯端末１００）の識別情報と各ユーザの属性を関連付けて記憶する属性テーブル５００（図１２）と、メッセージの送信宛先となるユーザの属性の指定を管理者から受け付ける属性受付部（図１の入力受付部２１４）と、属性テーブルから属性受付部が受け付けた属性に対応するユーザのユーザ端末（携帯端末１００）の識別情報を取得し、メッセージの送信宛先として指定する宛先指定部（不図示）と、を備えることができ、管理装置２００のメッセージ送信部（図１の送信部２２２）は、宛先指定部が指定した送信宛先のユーザ端末（携帯端末１００）にメッセージを送信することができる。
【００６６】
ここで、医療または介護従事者であるユーザの属性とは、たとえば、勤務形態（正社員、パートの別や、早番、遅番などのシフト）、担当部屋、担当患者や担当被介護者、担当患者や担当被介護者の区分（診療科、障害等級、担当医、介護度、症状等）、役職や役務、所属グループなどである。図１２に示すように、属性テーブル５００は、ユーザＩＤ５０２毎に、属性５０４を対応付けて記憶することができる。
【００６７】
本実施形態において、図３の登録編集画面３００において、メッセージの編集を行う際、メッセージを送信する宛先として、属性を指定する属性指定欄（不図示）を設けることができる。図１の登録編集部２１０は、登録編集画面３００で指定された属性を、図１３（ａ）に示すように、メッセージ記憶部５１０に、メッセージ毎に属性５１２に対応付けて記憶する。属性受付部は、複数の属性の指定を受け付けることができ、ＡＮＤ、ＯＲ、ＮＯＲ、ＮＡＮＤなどの条件式の指定を受け付けてもよい。
【００６８】
管理装置２００において、宛先指定部は、メッセージ記憶部５１０に記憶されたメッセージ毎に指定された属性５１２に基づいて、属性テーブル５００から該当するユーザＩＤ５０２を取得し、送信部２２２（図１）は、取得したユーザＩＤ５０２の携帯端末１００にメッセージを送信する。
この構成によれば、ユーザの属性、たとえば、「早番」などを指定して、メッセージを送信する宛先を設定することができる。
【００６９】
また、他の実施形態の管理システム１において、管理装置２００は、メッセージを送信する送信時刻の設定を管理者から受け付ける時刻設定受付部（図１の入力受付部２１４）と、送信時刻をメッセージと対応付けて記憶する送信時刻テーブル（図１３（ｂ）のメッセージ記憶部５２０）と、計時部（不図示）と、計時部の時刻が送信時刻になったか否かを監視し、送信時刻になったとき、メッセージをメッセージ送信部に送信させる送信制御部（図１の監視部２２０）と、を備えることができる。
【００７０】
図１３（ｂ）に示すように、メッセージ記憶部５２０は、メッセージに対応付けて送信時刻５２２を記憶する。送信時刻は、たとえば、毎月何日、毎週何曜日、毎日何時などの指定でもよいし、日時を直接指定してもよい。
この構成によれば、予め設定された時刻にメッセージを送信することができる。なお、本実施形態の構成は、上述した実施形態と組み合わせてもよい。
【００７１】
さらに、他の実施形態において、ユーザ端末（携帯端末１００）は、編集部（図５の登録編集部１３０）、属性テーブル（図１２の属性テーブル５００）、属性受付部（図５の入力受付部１０４）、宛先指定部（不図示）、および時刻設定受付部（図５の入力受付部１０４）を備えるとともに、編集部で編集されたメッセージを管理装置に送信する送信部（図５の送信部１１０）を備えることができ、ユーザ端末（携帯端末１００）において、編集部、属性受付部、および時刻設定受付部は、ユーザから編集操作、属性の指定、および送信時刻の設定をそれぞれ受け付け、管理装置２００の編集部（図１の登録編集部２１０）は、ユーザ端末（携帯端末１００）から送信されたメッセージを受け付け、登録部（図１３（ｂ）のメッセージ記憶部５２０）に登録することができる。
【００７２】
携帯端末１００では、図３の登録編集画面３００と同様な登録編集画面（不図示）を表示部１０６に表示することができる。ユーザは登録編集画面からメッセージの編集を行うことができる。なお、本実施形態の構成は、上述した実施形態と組み合わせてもよく、たとえば、本実施形態の携帯端末１００においても、ユーザの属性の指定によるメッセージ送信宛先の指定や、メッセージの送信時刻の設定などを行うことができる。
【００７３】
この構成によれば、携帯端末でもメッセージの編集を行うことができ、現場で他のユーザに通知すべきメッセージが生じた場合にも、迅速に登録して各携帯端末に送信することが可能となる。これにより、現場のユーザ間で相互にメッセージの交換を行うことが可能となる。
【００７４】
また、上記実施形態において、携帯端末１００がスケジュール登録機能を有していたが、他の実施形態において、管理装置２００がスケジュール登録機能をさらに有してもよい。すなわち、携帯端末１００のユーザに、管理者が登録したスケジュール管理されたアラートをメッセージ付きで送信することができる。
【００７５】
管理装置２００は、医療または介護現場でアラーム監視するスケジュールの入力を管理者から受け付けるスケジュール受付部（不図示）と、スケジュールの対象ユーザの指定を管理者から受け付ける対象受付部（不図示）と、スケジュールと対象ユーザを対応付けて記憶するスケジュール記憶部（不図示）と、スケジュールを監視し、対象ユーザのユーザ端末（携帯端末１００）にアラーム報知メッセージを送信するアラーム送信部（不図示）と、を備え、ユーザ端末（携帯端末１００）は、管理装置２００からアラーム報知メッセージを受信するアラーム受信部（不図示）と、アラーム報知メッセージをユーザに提示するアラーム提示部（不図示）と、を備えることができる。
【００７６】
具体的には、管理装置２００は、図１０と同様な備忘録登録画面を表示部２１２に表示し、管理者が各項目を入力してスケジュールを登録し、スケジュール記憶部に記憶する。監視部（不図示）がスケジュールを監視し、スケジュールの指定時刻および送信調整に基づいて、報知時刻になったか否かを監視する。報知時刻になったとき、アラーム送信部は、対象ユーザの携帯端末１００にアラーム報知メッセージを送信する。
【００７７】
この構成によれば、管理装置２００から対象の携帯端末１００にスケジュール管理されたアラートをメッセージ付きで送信することができる。
【００７８】
また、上記アラーム報知の対象ユーザは、図１２の属性テーブル５００を用いて属性で指定してもよい。複数の属性を、条件式を用いて指定することもできる。また、アラーム報知メッセージを受信したことを音声出力または振動でユーザに報知してもよい。
【図面の簡単な説明】
【００７９】
【図１】本発明の実施の形態に係る管理システムの構成を示すブロック図である。
【図２】本実施形態におけるケア記録データベースの構造の一例を示す図である。
【図３】図１の管理装置の登録編集画面の一例を示す図である。
【図４】図１の管理装置のメッセージ記憶部の構造の一例を示す図である。
【図５】図１の携帯端末の構成を示すブロック図である。
【図６】図５の携帯端末の業務報告入力画面の一例を示す図である。
【図７】図５の携帯端末のポップアップ画面の一例を示す図である。
【図８】図１の管理システムの動作の一例を示すフローチャートである。
【図９】図５の携帯端末の監視テーブルの構造の一例を示す図である。
【図１０】図５の携帯端末の備忘録登録画面の一例を示す図である。
【図１１】図５の携帯端末のアラート画面の一例を示す図である。
【図１２】本発明の実施の形態に係る管理システムの属性テーブルの構造の一例を示す図である。
【図１３】本発明の実施の形態に係る管理システムにおける管理装置のメッセージ記憶部の構造の一例を示す図である。
【符号の説明】
【００８０】
１  管理システム
３  ネットワーク
１００  携帯端末
１０２  インタフェース部
１０４  入力受付部
１０６  表示部
１０８  報告部
１１０  送信部
１２０  受信部
１２２  報知部
１２６  音声出力部
１２８  振動部
１３０  登録編集部
１３２  監視テーブル
１３４  監視部
２００  管理装置
２０２  インタフェース部
２０４  受信部
２０６  記録部
２０８  データベース
２１０  登録編集部
２１２  表示部
２１４  入力受付部
２１６  メッセージ記憶部
２２０  監視部
２２２  送信部
２３０  ケア記録データベース
３００  登録編集画面
３０２  メッセージ一覧
３０４  カテゴリ選択欄
３０６  開始日時入力欄
３０８  終了日時入力欄
３１０  送信内容入力欄
３１２  登録ボタン
３１４  削除ボタン
３１６  編集ボタン
４００  業務報告入力画面
４０２  業務項目選択欄
４１２  ポップアップ画面
４３０  備忘録登録画面
４３２  カテゴリ選択欄
４３４  タイトル入力欄
４３６  スケジュール指定欄
４３８  指定日時指定欄
４４０  送信調整指定欄
４４２  送信内容入力欄
４５２  アラート画面
５００  属性テーブル
５０４  属性
５１０  メッセージ記憶部
５１２  属性
５２０  メッセージ記憶部
５２２  送信時刻
【図１】
2009059040.tif 000003
【図２】
2009059040.tif 000004
【図３】
2009059040.tif 000005
【図４】
2009059040.tif 000006
【図５】
2009059040.tif 000007
【図６】
2009059040.tif 000008
【図７】
2009059040.tif 000009
【図８】
2009059040.tif 000010
【図９】
2009059040.tif 000011
【図１０】
2009059040.tif 000012
【図１１】
2009059040.tif 000013
【図１２】
2009059040.tif 000014
【図１３】
2009059040.tif 000015